(57)【要約】【課題】複数の表示装置に対して設定値を容易に設定することができる複数の表示装置に対して設定値を容易に設定することができる表示システム、及び表示システムの設定方法を提供する。【解決手段】前記表示装置は、自装置以外の前記表示装置である他の表示装置と通信する通信部と、外部からの操作信号を受信する受信部と、制御部と、を備え、前記制御部は、前記受信部により受信された前記操作信号に基づいて、自装置が前記マスタ表示装置として動作するか否か判定し、自装置が前記マスタ表示装置として動作する場合、前記第１のスレーブ表示装置に送信したコマンド信号に対する応答信号の個数に基づき、前記コマンド信号を前記第１のスレーブ表示装置に再度送信するか否か判定する、表示システム。【選択図】図２
2018097193.tif 000002
【特許請求の範囲】
【請求項１】
複数の表示装置のうちいずれか１の表示装置をマスタ表示装置とし、前記複数の表示装置のうち前記マスタ表示装置と異なる表示装置を第１のスレーブ表示装置とする表示システムであって、
前記表示装置は、
自装置以外の前記表示装置である他の表示装置と通信する通信部と、
外部からの操作信号を受信する受信部と、
制御部と、
を備え、
前記制御部は、
前記受信部により受信された前記操作信号に基づいて、自装置が前記マスタ表示装置として動作するか否か判定し、
自装置が前記マスタ表示装置として動作する場合、前記第１のスレーブ表示装置に送信したコマンド信号に対する応答信号の個数に基づき、前記コマンド信号を前記第１のスレーブ表示装置に再度送信するか否か判定する、
表示システム。
【請求項２】
前記通信部は、無線通信により通信を行う、
請求項１に記載の表示システム。
【請求項３】
前記制御部は、自装置が前記マスタ表示装置として動作する場合において、前記コマンド信号を前記第１のスレーブ表示装置に再度送信すると判定する場合、前記コマンド信号を前記第１のスレーブ表示装置に再度送信した回数が、予め定められた回数以上なら前記コマンド信号を前記第１のスレーブ表示装置に再度送信しない、
請求項１又は請求項２に記載の表示システム。
【請求項４】
前記表示装置は、
表示部を更に備え、
前記制御部は、
前記制御部は、自装置が前記マスタ表示装置として動作する場合において、前記コマンド信号を前記第１のスレーブ表示装置に再度送信すると判定する場合、前記第１のスレーブ表示装置に関する情報を前記表示部に表示させる、
請求項１から請求項３のいずれか１項に記載の表示システム。
【請求項５】
前記表示装置は、
記憶部を更に備え、
前記制御部は、
前記受信部により受信された前記操作信号と前記記憶部に記憶されたマスタフラグとに基づき、自装置が前記マスタ表示装置として動作するか否か判定する、
請求項１から請求項４のいずれか１項に記載の表示システム。
【請求項６】
前記制御部は、自装置が前記マスタ表示装置として動作しないと判定する場合、その旨を前記表示部に表示させる、
請求項４に記載の表示システム。
【請求項７】
前記マスタ表示装置及び前記第１のスレーブ表示装置を、第２のスレーブ表示装置に切替える表示システムであって、
前記制御部は、自装置が前記マスタ表示装置として動作する場合、前記第１のスレーブ表示装置に送信したコマンド信号に対する応答信号の個数に基づき、前記コマンド信号を前記第１のスレーブ表示装置に再度送信しないと判定する場合、前記マスタ表示装置として動作している自装置を第２のスレーブ表示装置に切り替えて動作させると判定し、
前記第１のスレーブ表示装置に対し、前記第１のスレーブ表示装置から前記第２のスレーブ表示装置に切替える指示を示す信号を送信する、
請求項１から請求項６のいずれか１項に記載の表示システム。
【請求項８】
前記制御部は、
前記通信部により受信される信号に基づき、自装置が前記第１のスレーブ表示装置として動作するか前記第２のスレーブ表示装置として動作するか判定し、
自装置が前記第１のスレーブ表示装置として動作する場合、受信した前記コマンド信号に示される内容を実行して自装置の識別情報を含む前記応答信号を前記マスタ表示装置に送信する、
請求項７に記載の表示システム。
【請求項９】
前記制御部は、
自装置が前記第２のスレーブ表示装置として動作する場合、自装置の識別情報を含む前記応答信号を前記マスタ表示装置に送信した後、定期的に自装置に関する情報を含む信号を前記通信部から送信する、
請求項７又は請求項８に記載の表示システム。
【請求項１０】
複数の表示装置のうちいずれか１の表示装置をマスタ表示装置とし、前記複数の表示装置のうち前記マスタ表示装置と異なる表示装置を第１のスレーブ表示装置とする表示システムの設定方法であって、
前記表示装置は、
自装置以外の前記表示装置である他の表示装置と通信する通信工程と、
外部からの操作信号を受信する受信工程と、
制御工程と、
を備え、
制御工程において、
前記受信工程で受信された前記操作信号に基づいて、自装置がマスタ表示装置として動作するか否かを判定し、
自装置が前記マスタ表示装置として動作する場合、前記第１のスレーブ表示装置に送信したコマンド信号に対する応答信号の個数に基づき、前記コマンド信号を前記第１のスレーブ表示装置に再度送信するか否か判定する、
表示システムの設定方法。
【発明の詳細な説明】
【技術分野】
【０００１】
本発明は、表示システム、及び表示システムの設定方法に関する。
【背景技術】
【０００２】
従来、マルチディスプレイ等と呼ばれる複数の表示装置を含む表示システムが知られている（例えば、特許文献１参照）。このような複数の表示装置に対し設定を行う場合、例えば表示装置をＬＡＮ（Local Area Network）ケーブル等を用いて接続する。そして、複数の表示装置のうちの１の表示装置に制御用のＰＣ（Personal Computer）を接続し、制御用のＰＣから設定情報を送ることにより設定を行う。
【先行技術文献】
【特許文献】
【０００３】
【特許文献１】特開２０１６−４５４４５号公報
【発明の概要】
【発明が解決しようとする課題】
【０００４】
しかしながら、制御用ＰＣを用いて複数の表示装置に対して設定を行うためには、制御用ＰＣが必要となる。このため手間やコストがかかっていた。
【０００５】
本発明は上記の点に鑑みてなされたものであり、複数の表示装置に対して設定値を容易に設定することができる表示システム、及び表示システムの設定方法を提供する。
【課題を解決するための手段】
【０００６】
上述した課題を解決するための本発明の一実施形態の表示システムは、複数の表示装置のうちいずれか１の表示装置をマスタ表示装置とし、前記複数の表示装置のうち前記マスタ表示装置と異なる表示装置を第１のスレーブ表示装置とする表示システムである。前記表示装置は、自装置以外の前記表示装置である他の表示装置と通信する通信部と、外部からの操作信号を受信する受信部と、制御部と、を備える。前記制御部は、前記受信部により受信された前記操作信号に基づいて、自装置が前記マスタ表示装置として動作するか否か判定し、自装置が前記マスタ表示装置として動作する場合、前記第１のスレーブ表示装置に送信したコマンド信号に対する応答信号の個数に基づき、前記コマンド信号を前記第１のスレーブ表示装置に再度送信するか否か判定する。
【０００７】
また、本発明の一実施形態の表示システムの設定方法は、複数の表示装置のうちいずれか１の表示装置をマスタ表示装置とし、前記複数の表示装置のうち前記マスタ表示装置と異なる表示装置を第１のスレーブ表示装置とする表示システムの設定方法である。前記表示装置は、自装置以外の前記表示装置である他の表示装置と通信する通信工程と、外部からの操作信号を受信する受信工程と、制御工程と、を備える。制御工程において、前記受信工程で受信された前記操作信号に基づいて、自装置がマスタ表示装置として動作するか否かを判定し、自装置が前記マスタ表示装置として動作する場合、前記第１のスレーブ表示装置に送信したコマンド信号に対する応答信号の個数に基づき、前記コマンド信号を前記第１のスレーブ表示装置に再度送信するか否か判定する。
【発明の効果】
【０００８】
この発明によれば、複数の表示装置に対して設定値を容易に設定することができる。
【図面の簡単な説明】
【０００９】
【図１】第１の実施形態における表示システムの外観図の例を示す図である。
【図２】第１の実施形態における表示システムの表示装置の構成図を示す図である。
【図３】第１の実施形態の表示システムに記憶されるデータの例を示す図である。
【図４】第１の実施形態の表示システムが行う処理の流れを示すフローチャートである。
【図５】第１の実施形態の表示システムが行う処理の流れを示すフローチャートである。
【図６】第１の実施形態の表示システムが行う処理の流れを示すフローチャートである。
【図７】第１の実施形態の表示システムが行う処理の流れを示すフローチャートである。
【図８】第２の実施形態の表示システムが行う処理の流れを示すフローチャートである。
【発明を実施するための形態】
【００１０】
以下、実施形態の表示システムを、図面を参照して説明する。
【００１１】
（第１の実施形態）
まず、第１の実施形態について説明する。
図１は本実施形態における表示システム１に含まれる表示装置１０の構成図を示している。図１に示すように、本実施形態の表示システム１は、例えば３×３の複数の表示装置１０で構成される。
【００１２】
表示システム１における複数の表示装置１０は、１のマスタ表示装置１０Ａと、１又は複数の第１のスレーブ表示装置１０Ｂとに分けられる。図１の例では、表示システム１においては、下段中央の表示装置１０をマスタ表示装置１０Ａとし、下段中央の表示装置１０を除く他の表示装置１０を第１のスレーブ表示装置１０Ｂとしている。
【００１３】
図１に示す例では、表示システム１における複数の表示装置１０のうち、いずれの表示装置１０をマスタ表示装置１０Ａとするかは、ユーザＵにより任意に選択される。すなわち、表示システム１における複数の表示装置１０のうち、どの表示装置１０でもマスタ表示装置１０Ａとして動作することができる。
ユーザＵは、例えば、マスタ表示装置１０Ａとして選択した表示装置１０の表示画面の底部などに有するＯＳＤ操作ボタン１０１等の操作子を用いて、ＯＳＤ操作画面１００を表示させる。そして、ユーザＵがＯＳＤ操作画面１００を操作することにより、操作信号が表示装置１０に送信され、操作信号を受信した表示装置１０がマスタ表示装置１０Ａとして動作する。
【００１４】
本実施形態においては、表示システム１における複数の表示装置１０の中からマスタ表示装置１０Ａが選択された場合、マスタ表示装置１０Ａは、他の表示装置１０に対し、第１のスレーブ表示装置１０Ｂとして動作する指示を示す信号を送信する。これにより、他の表示装置１０は、第１のスレーブ表示装置１０Ｂとなる。第１のスレーブ表示装置１０Ｂとして動作する表示装置１０は、マスタ表示装置１０Ａから受信したコマンド信号に示される内容に従う。
【００１５】
本実施形態においては、例えば表示システム１における複数の表示装置１０の各々に一括して設定値を設定する場合等においてユーザＵ等により、１のマスタ表示装置１０Ａが選択される。そして、マスタ表示装置１０Ａから送信されるコマンド信号に第１のスレーブ表示装置１０Ｂが従うことにより、一括して設定値を設定する。
【００１６】
また、本実施形態においては、マスタ表示装置１０Ａを選択し、他の表示装置１０に一括して設定値が設定された後は、マスタ表示装置１０Ａと第１のスレーブ表示装置１０Ｂとは、全て第２のスレーブ表示装置１０Ｃに切替えられる。全ての表示装置１０が第２のスレーブ表示装置１０Ｃとして動作する場合、表示システム１においてマスタ表示装置１０Ａは存在しない。
【００１７】
このように、本実施形態の表示システム１においては、複数の表示装置１０のうちいずれか１の表示装置１０をマスタ表示装置１０Ａとし、複数の表示装置１０のうちマスタ表示装置１０Ａと異なる表示装置１０を第１のスレーブ表示装置１０Ｂとする表示システム１と、複数の表示装置１０のうちの全ての表示装置１０を第２のスレーブ表示装置１０Ｃとする表示システム１との少なくともいずれか一方をとる。
【００１８】
ここで、表示システム１に用いられる表示装置１０を構成する機能ブロックについて、図２を用いて説明する。
図２は本実施形態における表示システム１に含まれる表示装置１０の構成図を示している。表示装置１０は、ＲＦタグ１１、アンテナ部１２、無線通信部（通信部）１３、受信部１４、画像処理部１５、映像表示部（表示部）１６、記憶部１７、および制御部１８を有する。
【００１９】
複数の表示装置１０の各々は、例えばＷｉ−ＳＵＮ（Wireless Smart Utility Network）等の無線通信規格に準拠した表示装置である。すなわち、複数の表示装置１０が相互に接続されることにより複数の表示装置１０間の通信を行うことができる表示装置である。
【００２０】
ＲＦタグ１１は、ＲＦＩＤ（Radio Frequency IDentifier）が組み込まれたＲＦタグである。ＲＦタグ１１は、タグの内部に記憶された情報（データ）を近距離無線によって読み書きをすることができる。ＲＦタグ１１は、電池を内蔵するアクティブ型、電池を内蔵しないパッシブ型のいずれであってもよい。また、ＲＦタグ１１は、電磁誘導方式、または電波方式のいずれの方式であってもよい。
ＲＦタグ１１に記憶された情報は、リーダライタを用いた無線通信によって読み書きがすることができる。ＲＦタグ１１に記憶された情報は、例えば、後述する記憶部１７に記憶される。
【００２１】
アンテナ部１２は、無線通信部１３を用いて行う複数の表示装置の間における通信で送受信される信号を送信又は受信するアンテナを有する。アンテナ部１２は、制御部１８からの制御に基づき、無線通信部１３からの送信信号を他の表示装置１０へ送信する。また、アンテナ部１２は、制御部１８からの制御に基づき、他の表示装置１０からの信号を受信する。アンテナ部１２は、受信した信号を無線通信部１３に出力する。
【００２２】
無線通信部１３は、制御部１８からの制御に基づき、自装置以外の他の表示装置１０（以下、単に「他の表示装置１０」という）と通信する。無線通信部１３が行う通信の通信方式は、例えば、Ｗｉ−Ｆｉ網を介した無線通信方式で行われる。通信セルラー網などの無線通信網、赤外線やＢｌｕｅｔｏｏｔｈ（登録商標）等の近距離無線通信網を介して、複数の表示装置１０の間における通信が行われてもよい。また、無線通信部１３は、有線により通信する手段を備えていてもよい。例えば、ＬＡＮ（Local Area Network）などを介した有線通信網を介して行われてもよい。
【００２３】
受信部１４は、制御部１８からの制御に基づき、外部からの操作信号を受信する。受信部１４は、例えばＯＳＤ（On Screen Display）機能に基づく操作信号（ＯＳＤコントロール信号）を受信する。受信部１４は、例えばユーザが操作したＯＳＤ操作ボタン等の操作子を操作した場合に、その操作が示す操作情報をＯＳＤコントロール信号として受信する。受信部１４は、受信したＯＳＤコントロール信号を制御部１８に出力する。
本実施形態において、受信部１４はＯＳＤコントロール信号を受信するものとして説明したが、受信部１４は外部からの操作信号を受信できればよく、ＯＳＤ機能に限定されない。例えば、受信部１４は、ＲＦタグ１１と接続されていてもよい。この場合、受信部１４は、外部のリーダライタによりＲＦタグ１１に書き込まれた情報を、操作信号として受信する。また、受信部１４は、外部のリモコンやスマートフォン等が送信した赤外線の変調信号、近距離通信信号等の所定の無線信号により操作信号を受信してもよい。また、受信部１４は、ＯＳＤコントロール信号を受信する受信部と、他の形式の通信に用いられる信号の受信部との両方を備えるものであってもよい。
【００２４】
画像処理部１５は、映像表示部１６が出力する画像データに対する画像処理をする。画像処理部１５は、図示しない外部の映像信号出力装置等から入力される映像信号に対して、ＡＤ（Analog-Digital）変換、同期信号分離、フレームメモリに対する画像データの書き込みおよび読み出し等の画像処理を行う。
画像処理部１５は、例えばアナログ信号をデジタル信号に変換するＡＤコンバータの機能、ＤＶＩ（Digital Visual Interface）デジタル信号をデジタルＲＧＢ（Red Green Blue）信号に変換するＤＶＩレシーバ機能、デジタルＲＧＢ信号の解像度を、映像表示部１６の解像度に合せる解像度変換機能、ＲＧＢ信号で入力された入力画像に対して色温度の調整やガンマ補正を行う色温度調整機能やガンマ補正機能等を有していてもよい。
【００２５】
映像表示部１６は、画像処理部１５で処理された画像データに基づき画像を表示する。映像表示部１６は、例えば、液晶ディスプレイである。
また、映像表示部１６は、画像処理部１５で処理された画像データに基づく画像の表示に重ねて、制御部１８からの制御が出力するＯＳＤ操作画面を表示する。この場合のＯＳＤ操作画面は、表示装置１０の設定値の全部または一部を、外部から入力操作を行って設定する操作画面である。
記憶部１７は、例えば、ＨＤＤ（Hard Disc Drive）、フラッシュメモリ、ＥＥＰＲＯＭ（Electrically Erasable Programmable Read Only Memory）、またはＲＡＭ（Random Access Memory）などにより実現される。記憶部１７は、設定テーブル１７０、マスタフラグ１７１、およびマスタ管理テーブル１７２を有する。
【００２６】
図３は、本実施形態の表示システムに記憶されるデータの例を示す図である。図３（ａ）は設定テーブル１７０の例、図３（ｂ）はマスタフラグ１７１の例、図３（ｃ）はマスタ管理テーブル１７２の例、をそれぞれ示す。
図３（ａ）に示すように、設定テーブル１７０は、表示装置１０における設定内容が記憶される記憶領域である。設定テーブル１７０には、例えば識別番号、ユーザが任意に設定値を変更することができる項目（例えば、音量調節、信号入力コネクターの切替、輝度、コントラスト設定、色温度の調整、およびガンマ補正等）に関する設定値が記憶されている。
【００２７】
図３（ｂ）に示すように、マスタフラグ１７１には、例えば２ビットの設定値が記憶されている。図３（ｂ）に示す例においては、マスタフラグ１７１の２ビット［ｂ１、ｂ０］のうち、上位ビットｂ１は自装置がマスタ表示装置であるか否か、下位ビットｂ０は他の表示装置１０がマスタ表示装置であるか否か、を示す。上位ビットｂ１、および下位ビットｂ０の各々においては、マスタ表示装置１０Ａとして動作する場合に“１”、マスタ表示装置１０Ａとして動作しない場合に“０”が設定される。
マスタフラグ１７１に“００”が設定されている場合、自装置はマスタ表示装置１０Ａとして動作せず、また、他の表示装置もマスタ表示装置１０Ａとして動作しないことを示す。この場合、制御部１８は、自装置を第２のスレーブ表示装置１０Ｃとして動作させる。
マスタフラグ１７１に“０１”が設定されている場合、自装置はマスタ表示装置１０Ａとして動作しないが、他の表示装置がマスタ表示装置１０Ａとして動作することを示す。この場合、制御部１８は、自装置を第１のスレーブ表示装置１０Ｂとして動作させる。
マスタフラグ１７１に“１０”が設定されている場合、自装置はマスタ表示装置１０Ａとして動作し、他の表示装置はマスタ表示装置１０Ａとして動作しないことを示す。この場合、制御部１８は、自装置をマスタ表示装置１０Ａとして動作させる。
なお、マスタフラグ１７１に“１１”が設定されている場合、自装置はマスタ表示装置１０Ａとして動作し、他の表示装置にもマスタ表示装置１０Ａとして動作する表示装置が存在することとなってしまうため、マスタフラグ１７１に“１１”を設定することはできないものとする。
【００２８】
図３（ｃ）に示すように、マスタ管理テーブル１７２は、例えばスレーブ設定信号に対するＡｃｋ信号に含まれる識別番号、およびコマンド信号に対するＡｃｋ信号の有無が記憶されている。なお、スレーブ設定信号、およびコマンド信号については後で説明する。
【００２９】
制御部１８は、例えばＣＰＵ（Central Processing Unit）などのプロセッサがプログラムメモリに格納されたプログラムを実行することにより実現される。また、これらの機能部のうち一部または全部は、ＬＳＩ（Large Scale Integration）、ＡＳＩＣ（Application Specific Integrated Circuit）、またはＦＰＧＡ（Field-Programmable Gate Array）などのハードウェアにより実現されてもよい。制御部１８は、ＲＦタグ１１、アンテナ部１２、無線通信部１３、受信部１４、画像処理部１５、映像表示部１６、および記憶部１７を制御する。
【００３０】
図２に戻り、制御部１８は、自装置をマスタ表示装置１０Ａとして動作させるか否かを判定する。制御部１８は、受信部１４からのＯＳＤコントロール信号に基づいて、自装置をマスタ表示装置１０Ａとして動作させるか否かを判定する。また、制御部１８は、無線通信部１３からの受信信号に基づいて、自装置を第１のスレーブ表示装置１０Ｂ、または第２のスレーブ表示装置１０Ｃとして動作させるかを判定する。以下の説明において、自装置をマスタ表示装置１０Ａとして動作させる場合と自装置を第１のスレーブ表示装置１０Ｂ、および第２のスレーブ表示装置１０Ｃとして動作させる場合とで行う制御部１８の処理を順に説明する。
【００３１】
（自装置をマスタ表示装置１０Ａとして動作させる場合の処理）
制御部１８は、無線通信部１３を介してスレーブ設定信号を他の表示装置１０に送信する。スレーブ設定信号には、スレーブ設定信号を受信した表示装置１０に対して、第１のスレーブ表示装置１０Ｂとして動作する指示を示す情報が含まれている。具体的には、スレーブ設定信号には、スレーブ設定信号を受信した表示装置１０におけるマスタフラグ１７１に、“０１”を設定する指示を示す情報が含まれている。
【００３２】
また、制御部１８は、スレーブ設定信号を送信した場合、無線通信部１３を介して、スレーブ設定信号を受信した表示装置１０からの応答信号（第１のＡｃｋ信号）を受信する。第１のＡｃｋ信号には、第１のＡｃｋ信号を送信した表示装置１０の識別番号が含まれている。
制御部１８は、受信した第１のＡｃｋ信号に基づき、第１のＡｃｋ信号を送信した表示装置１０の識別番号を、マスタ管理テーブル１７２に記憶させる。
制御部１８は、マスタ管理テーブル１７２に記憶させた識別番号に対応する表示装置１０を、第１のスレーブ表示装置１０Ｂとする。また、制御部１８は、マスタ管理テーブル１７２に記憶された表示装置１０の識別番号の個数に基づき、第１のスレーブ表示装置１０Ｂの個数（第１の個数）を判定する。
【００３３】
制御部１８は、無線通信部１３を介してコマンド信号を第１のスレーブ表示装置１０Ｂに送信する。コマンド信号には、第１のスレーブ表示装置１０Ｂに対して、設定テーブル１７０にある設定項目に設定する設定値を指示する情報が含まれている。コマンド信号には、例えばＲＦタグ１１又は設定テーブル１７０に記憶された情報が含まれる。
また、制御部１８は、コマンド信号を送信した場合、無線通信部１３を介して、コマンド信号を受信した第１のスレーブ表示装置１０Ｂからの応答信号（第２のＡｃｋ信号）を受信する。第２のＡｃｋ信号には、第２のＡｃｋ信号を送信した第１のスレーブ表示装置１０Ｂの識別番号が含まれている。
制御部１８は、第２のＡｃｋ信号に含まれる識別番号に基づき、第２のＡｃｋ信号を送信した第１のスレーブ表示装置１０Ｂの個数（第２の個数）を判定する。そして、制御部１８は、第１の個数と第２の個数とが異なる場合、無線通信部１３を介してコマンド信号を再度送信する。
【００３４】
このように、制御部１８は、受信した第１のＡｃｋ信号に基づいて第１の個数を判定し、その後に送信したコマンド信号に対する第２のＡｃｋ信号基づいて判定される第２の個数が、第１の個数と異なる場合に、コマンド信号を再度送信する。
【００３５】
制御部１８は、無線通信部１３にコマンド信号を再度送信させようとする場合において、予め定められたコマンド信号を再度送信する場合の送信回数の上限値に達した場合には、コマンド信号を再度送信させないと判定する。
また、制御部１８は、送信回数の上限値に達したためにコマンド信号を再度送信させないと判定する場合、第２のＡｃｋ信号を送信していない第１のスレーブ表示装置１０Ｂに関する情報（例えば、識別番号）を映像表示部１６に表示させる。なお、第２のＡｃｋ信号を送信していない第１のスレーブ表示装置１０Ｂには、マスタ表示装置１０Ａに第２のＡｃｋ信号が受信されなかった第１のスレーブ表示装置１０Ｂが含まれる。
【００３６】
本実施形態において、制御部１８は、送信回数の上限値に達した場合に第２のＡｃｋ信号が受信されていない第１のスレーブ表示装置１０Ｂの識別番号等を表示させる場合について説明したが、これに限定されない。制御部１８は、送信回数の上限値に達したか否かに関わらず、第２のＡｃｋ信号が受信されない第１のスレーブ表示装置１０Ｂに関する情報を、映像表示部１６に表示させてもよい。
【００３７】
制御部１８は、第２の個数が、第１の個数と同じ個数である場合、無線通信部１３を介してスレーブ解除信号を第１のスレーブ表示装置１０Ｂに送信する。スレーブ解除信号には、スレーブ解除信号を受信した表示装置１０に対して、第２のスレーブ表示装置１０Ｃとして動作する指示を示す情報が含まれている。具体的には、スレーブ解除信号が、スレーブ解除信号を受信した表示装置１０におけるマスタフラグ１７１に、“００”を設定する指示を示す情報を含む。
【００３８】
制御部１８は、自装置の無線通信部１３を介して、スレーブ解除信号を受信した第１のスレーブ表示装置１０Ｂからの応答信号（第３のＡｃｋ信号）を受信する。第３のＡｃｋ信号には、第３のＡｃｋ信号を送信した第１のスレーブ表示装置１０Ｂの識別番号が含まれている。
制御部１８は、第３のＡｃｋ信号に含まれる識別番号に基づき、第３のＡｃｋ信号を送信した第１のスレーブ表示装置１０Ｂの個数（第３の個数）を判定する。そして、制御部１８は、第１の個数と第３の個数とが異なる場合、無線通信部１３を介してスレーブ解除信号を再度送信する。
【００３９】
（自装置を第１のスレーブ表示装置１０Ｂとして動作させる場合の処理）
制御部１８は、無線通信部１３がスレーブ設定信号を受信した場合、マスタフラグ１７１の設定値を、“０１”として記憶させる。これにより、制御部１８は、自装置を第１のスレーブ表示装置１０Ｂとして動作させる。制御部１８は、マスタフラグ１７１に、“０１”を記憶させた後、無線通信部１３を介して第１のＡｃｋ信号をマスタ表示装置１０Ａに送信する。この場合、第１のＡｃｋ信号には、自装置の識別番号が含まれている。
【００４０】
制御部１８は、無線通信部１３がコマンド信号を受信した場合、コマンド信号に示される指示に従う。具体的には、制御部１８は、は、ＲＦタグ１１又は設定テーブル１７０に記憶された項目における設定値を、コマンド信号に示される設定値として記憶させる。制御部１８は、コマンド信号に示される指示に従う処理を行った後、無線通信部１３を介して第２のＡｃｋ信号をマスタ表示装置１０Ａに送信する。この場合、第２のＡｃｋ信号には、自装置の識別番号が含まれている。
【００４１】
（第２のスレーブ表示装置１０Ｃとして動作させる場合の処理）
制御部１８は、無線通信部１３がスレーブ解除信号を受信した場合、マスタフラグ１７１の設定値を、“００”として記憶させる。これにより、制御部１８は、自装置を第２のスレーブ表示装置１０Ｃとして動作させる。制御部１８は、マスタフラグ１７１に、“００”を記憶させた後、無線通信部１３を介して第３のＡｃｋ信号をマスタ表示装置１０Ａに送信する。この場合、第３のＡｃｋ信号には、自装置の識別番号が含まれている。
制御部１８は、自装置に関する情報を定期的に送信するビーコン動作を行う。自装置に関する情報とは、例えば、ＲＦタグ１１又は設定テーブル１７０に記憶された項目、およびその設定値である。制御部１８は、自装置に関する情報を無線通信部１３により送信してもよいし、図示しない無線通信部１３とは異なる通信部により送信してもよい。以下の説明において、自装置に関する情報を無線通信部１３により送信する動作を「基本動作」、または「ビーコン動作」という。
【００４２】
図４を用いて、実施形態の表示システム１において、表示装置１０をマスタ表示装置１０Ａとして動作させる場合に行う処理について説明する。図４は、実施形態の表示システム１が行う処理の流れを示すフローチャートである。
まず、図４に示すフローチャートを説明する前提として、ＯＳＤ操作ボタン等の操作子には、Ｍｅｎｕ  Ｋｅｙ、およびＥｘｉｔ  Ｋｅｙがある。Ｍｅｎｕ  Ｋｅｙが押下されると、ＯＳＤ操作画面が映像表示部１６に表示された状態となる。そして、ＯＳＤ操作画面が表示された状態において、再度、Ｍｅｎｕ  Ｋｅｙが押下されるか、又はＥｘｉｔ  Ｋｅｙが押下されると、ＯＳＤ操作画面が非表示となるものとする。また、ＯＳＤ操作画面には設定項目が表示され、その設定項目の中にはマスタ表示装置１０Ａとして動作させる設定（Ａｌｌ  Ｓｅｔｔｔｉｎｇ  Ｃｏｐｙ）の設定項目があるものとする。
【００４３】
まず、ユーザが操作するＯＳＤ操作ボタン等の操作子により、Ｍｅｎｕ  Ｋｅｙが押下される等して、ＯＳＤ操作画面を表示させる信号が受信部１４を介して、制御部１８に入力される（ステップＳ１０）。制御部１８は、ＯＳＤ操作画面を映像表示部１６に表示させる（ステップＳ１１）。この場合、例えばＯＳＤ操作画面には、設定項目を選択する画面が表示される。次に、操作子により、Ｍｅｎｕ  Ｋｅｙが押下されるか、またはＥｘｉｔ  Ｋｅｙが押下される等して、ＯＳＤ操作画面を非表示とする信号が制御部１８に入力された場合（ステップＳ１２；Ｙｅｓ）、制御部１８は、ＯＳＤ操作画面を非表示とし、本フローチャートに示す処理は終了する。
一方、ＯＳＤ操作画面が、表示された状態において（ステップＳ１２；Ｎｏ）、設定項目Ａｌｌ  Ｓｅｔｔｔｉｎｇ  Ｃｏｐｙが、ユーザに選択された場合（ステップＳ１３；Ｙｅｓ）、制御部１８には、マスタ表示装置１０Ａとして動作する指示を示す信号が入力される。この場合、制御部１８は、マスタフラグ１７１に記憶されている設定値を参照する。
【００４４】
参照したマスタフラグ１７１の設定値に “０１”が記憶されていた場合、制御部１８は、自装置を第１のスレーブ表示装置１０Ｂとして動作させている。この場合（ステップＳ１４；Ｙｅｓ）、制御部１８は、ＯＳＤ操作画面等に、別の表示装置１０がマスタ表示装置１０Ａである旨を表示させ（ステップＳ１７）、本フローチャートに示す処理は終了する。
一方、マスタフラグ１７１に記憶されている値が“０１”でない場合、つまり、自装置が第１のスレーブ表示装置１０Ｂでない場合（ステップＳ１４；Ｎｏ）、制御部１８は、マスタフラグ１７１を“１０”に設定して記憶させる（ステップＳ１５）。これにより、制御部１８は、自装置をマスタ表示装置１０Ａとして動作させると判定する。そして、制御部１８は、マスタ設定処理を行い（ステップＳ１６）、本フローチャートに示す処理は終了する。
【００４５】
ここで、マスタ設定処理において制御部１８が行う処理について、図５を用いて説明する。図５は、実施形態の表示システム１が行うマスタ設定処理の流れを示すフローチャートである。
制御部１８は、無線通信部１３を介して他の表示装置１０にスレーブ設定信号を他の表示装置１０に送信する（ステップＳ２０）。スレーブ設定信号には、スレーブ設定信号を受信した表示装置１０におけるマスタフラグ１７１に“０１”を設定する指示を示す情報が含まれている。
スレーブ設定信号を受信した他の表示装置１０は、他の表示装置１０のマスタフラグ１７１に“０１”を設定し、他の表示装置１０の無線通信部１３を介して第１のＡｃｋ信号をマスタ表示装置１０Ａに送信する。そして、制御部１８は、当該他の表示装置１０から第１のＡｃｋ信号を無線通信部１３により受信する（ステップＳ２１）。
制御部１８は、第１のＡｃｋ信号を送信した表示装置１０の識別番号を、マスタ管理テーブル１７２に記憶させ、マスタ管理テーブル１７２に記憶された表示装置１０の識別番号の個数に基づき、第１のスレーブ表示装置１０Ｂの個数（第１の個数）を判定する（ステップＳ２２）。これにより、実施形態の表示システム１において、複数の表示装置１０が、１のマスタ表示装置１０Ａと、１又は複数の第１のスレーブ表示装置１０Ｂとに設定される。
【００４６】
制御部１８は、ＯＳＤ操作画面に、選択項目「Ｓｔａｒｔ」、および選択項目「Ｃａｎｃｅｌ」を表示させる（ステップＳ２３）。そして、ユーザが操作するＯＳＤ操作ボタン等の操作子により、選択項目「Ｓｔａｒｔ」が選択され、選択項目「Ｓｔａｒｔ」が選択された旨を示す信号が受信部１４を介して、制御部１８に入力された場合（ステップＳ２４；Ｙｅｓ）、制御部１８は、無線通信部１３を介して他の表示装置１０にコマンド信号を第１のスレーブ表示装置１０Ｂに送信する（ステップＳ２５）。コマンド信号には、例えばＲＦタグ１１又は設定テーブル１７０に記憶された情報が含まれる。
コマンド信号を受信した他の表示装置１０は、コマンド信号に示す内容に従い、他の表示装置１０の設定テーブル１７０に、コマンド信号において指示された項目についてコマンド信号に指示された設定値を設定する。そして、当該他の表示装置１０は、自身の無線通信部１３を介して第２のＡｃｋ信号をマスタ表示装置１０Ａに送信する。制御部１８は、当該他の表示装置１０から第２のＡｃｋ信号を無線通信部１３により受信する（ステップＳ２６）。
一方、操作子により選択項目「Ｓｔａｒｔ」が選択されない場合（ステップＳ２４；Ｎｏ）、制御部１８は、ステップＳ２９に示す処理を行う。
【００４７】
制御部１８は、受信した第２のＡｃｋ信号に含まれる識別番号に基づき、第２のＡｃｋ信号を送信した第１のスレーブ表示装置１０Ｂの個数（第２の個数）を判定する。そして、制御部１８は、第１の個数と第２の個数とが同じ場合（ステップＳ２７；Ｙｅｓ）、マスタフラグ１７１に“００”を設定して記憶させる（ステップＳ２９）。これにより、制御部１８は、自装置を第２のスレーブ表示装置１０Ｃとして動作させる。
そして、制御部１８は、無線通信部１３を介して他の表示装置１０にスレーブ解除信号を第１のスレーブ表示装置１０Ｂに送信する（ステップＳ３０）。スレーブ解除信号を受信した表示装置１０におけるマスタフラグ１７１に、“００”を設定する指示を示す情報が含まれている。
スレーブ解除信号を受信した他の表示装置１０は、当該他の表示装置１０のマスタフラグ１７１に“００”を設定する。そして、当該他の表示装置１０は、自身の無線通信部１３を介して第３のＡｃｋ信号をマスタ表示装置１０Ａに送信する。制御部１８は、当該他の表示装置１０から第２のＡｃｋ信号を無線通信部１３により受信する（ステップＳ３１）。
【００４８】
制御部１８は、受信した第３のＡｃｋ信号に含まれる識別番号に基づき、第３のＡｃｋ信号を送信した第１のスレーブ表示装置１０Ｂの個数（第３の個数）を判定する。そして、制御部１８は、第１の個数と第３の個数とが同じ場合（ステップＳ３２；Ｙｅｓ）、ＯＳＤ操作画面に、「設定完了」示す画面を表示させる（ステップＳ３４）。制御部１８は、ＯＳＤ操作画面を非表示とし（ステップＳ３５）、本フローチャートに示す処理は終了する。
一方、制御部１８は、第１の個数と第２の個数とが異なる場合（ステップＳ２７；Ｎｏ）、再送処理を行い（ステップＳ２８）、ステップＳ２９に示す処理を行う。また、制御部１８は、第１の個数と第２の個数とが異なる場合（ステップＳ３２；Ｎｏ）、再送処理を行い（ステップＳ３３）、ステップＳ３４に示す処理を行う。
【００４９】
ここで、再送処理において制御部１８が行う処理について、図６を用いて説明する。図６は、実施形態の表示システム１が行うマスタ設定処理の流れを示すフローチャートである。まず、第１の個数と第２の個数とが異なる場合に、制御部１８が行う再送処理について説明する。
制御部１８は、無線通信部１３を介して他の表示装置１０にコマンド信号を再度送信する（ステップＳ４０）。コマンド信号には、例えばＲＦタグ１１又は設定テーブル１７０に記憶された情報が含まれる。
コマンド信号を受信した他の表示装置１０は、コマンド信号に示す内容に従い、他の表示装置１０の設定テーブル１７０に、コマンド信号において指示された項目についてコマンド信号に指示された設定値を設定する。そして、当該他の表示装置１０は、自身の無線通信部１３を介して第２のＡｃｋ信号をマスタ表示装置１０Ａに送信する。制御部１８は、当該他の表示装置１０から第２のＡｃｋ信号を無線通信部１３により受信する（ステップＳ４１）。
制御部１８は、受信した第２のＡｃｋ信号に含まれる識別番号に基づき、第２のＡｃｋ信号を送信した第１のスレーブ表示装置１０Ｂの個数（第２の個数）を判定する。そして、制御部１８は、第１の個数と第２の個数とが同じ場合（ステップＳ４２；Ｙｅｓ）、メインの動作フローに戻る（ステップＳ４６）。
一方、制御部１８は、第１の個数と第２の個数とが異なる場合（ステップＳ４２；Ｎｏ）、記憶部１７に記憶される変数「再送回数」に１を加算して、カウントアップする（ステップＳ４３）。
【００５０】
制御部１８は、再送回数が１０以下である場合（ステップＳ４４；Ｙｅｓ）、マスタ管理テーブル１７２に基づき、第１のＡｃｋ信号を受信したが、第２のＡｃｋ信号を受信していない第１のスレーブ表示装置１０Ｂの識別番号を、ＯＳＤ操作画面等に表示させる（ステップＳ４５）。そして、制御部１８は、メインの動作フロー（ステップＳ２９）に戻る（ステップＳ４６）。
一方、制御部１８は、再送回数が１０より大きい場合（ステップＳ４４；Ｎｏ）、ステップＳ４０に示す処理に戻る。
【００５１】
ここで、第２のスレーブ表示装置１０Ｃとして動作する場合において制御部１８が行う処理について、図７を用いて説明する。図７は、実施形態の表示システム１が行うマスタ設定処理の流れを示すフローチャートである。
まず、本フローチャートに示す処理を説明する前提として、表示装置１０は、第２のスレーブ表示装置１０Ｃとして動作しているものとする。
制御部１８は、無線通信部１３を介してマスタ表示装置からの信号を受信する（ステップＳ５０）。マスタ表示装置から受信した信号には、マスタフラグ１７１に設定する設定値を指示する情報が含まれている。
制御部１８は、マスタフラグ１７１に設定する設定値を参照する（ステップＳ５１）。
制御部１８は、設定値として“００”が示されていた場合（ステップＳ５１：“００”）、自装置に関する情報を無線通信部１３により送信する基本動作を行う（ステップＳ５２）。そして、制御部１８は、ステップＳ５０に示す処理に戻る。
また、制御部１８は、設定値として“０１”が示されていた場合（ステップＳ５１：“０１”）、自装置に関する情報を無線通信部１３により送信する基本動作を停止する（ステップＳ５３）。そして、制御部１８は、自装置のマスタフラグ１７１に“０１”を書き込んで記憶させる。
【００５２】
制御部１８は、自装置のマスタフラグ１７１に“０１”を書き込んで記憶させた後、自装置の識別番号を付した第１のＡｃｋ信号を、通信部１３を介してマスタ表示装置１０Ａに送信する（ステップＳ５４）。これにより、制御部１８は、自装置を第１のスレーブ表示装置１０Ｂとして動作させる。
制御部１８は、無線通信部１３を介してマスタ表示装置からのコマンド信号を受信したら（ステップＳ５５；Ｙｅｓ）、コマンド信号に示される内容に従って、例えば設定テーブル１７０の項目に設定されている設定値を更新する（ステップＳ５６）。そして、制御部１８は、コマンド信号に示される内容に従って動作した後に自装置の識別番号を付した第２のＡｃｋ信号を、通信部１３を介してマスタ表示装置１０Ａに送信する（ステップＳ５７）。
【００５３】
一方、制御部１８は、無線通信部１３を介してマスタ表示装置からのコマンド信号を受信しない場合（ステップＳ５５；Ｎｏ）において、一定時間が経過した場合には（ステップＳ５８；Ｙｅｓ）、自装置のマスタフラグ１７１に“００”を書き込んで更新させる（ステップＳ５９）。そして、制御部１８は、ステップＳ５０に示す処理に戻る。また、制御部１８は、一定時間が経過していない場合には（ステップＳ５８；Ｎｏ）、ステップＳ５５に示す処理に戻る。
【００５４】
制御部１８は、第２のＡｃｋ信号を送信した後、無線通信部１３を介してマスタ表示装置からのスレーブ解除信号を受信したら（ステップＳ６０；Ｙｅｓ）、自装置のマスタフラグ１７１に“００”を書き込んで更新させる（ステップＳ６１）。そして、制御部１８は、ステップＳ５０に示す処理に戻る。
一方、制御部１８は、第２のＡｃｋ信号を送信した後、無線通信部１３を介してマスタ表示装置からのスレーブ解除信号を受信しない場合（ステップＳ６０；Ｎｏ）において、一定時間が経過した場合には（ステップＳ６２；Ｙｅｓ）、ステップＳ６１に示す処理に戻る。また、制御部１８は、一定時間が経過しない場合には（ステップＳ６２；Ｎｏ）、ステップＳ６０に示す処理に戻る。
【００５５】
なお、制御部１８は、マスタ表示装置１０Ａから受信した信号に、マスタフラグ１７１に設定する設定値として“００”および“０１”以外の設定値（すなわち、“１０”又は“１１”）が示されていた場合（ステップＳ５１：ｏｔｈｅｒｓ）、自装置のマスタフラグ１７１に“００”を書き込んで更新させる（ステップＳ６３）。そして、制御部１８は、ステップＳ５０に示す処理に戻る。
【００５６】
以上説明したように、制御部１８は、第２の個数と第１の個数とが異なる場合、他の表示装置１０に、コマンド信号を再度送信する。これにより、表示システム１においては、コマンド信号を受信できなかった等によりコマンド信号に示す内容を実行していない第１のスレーブ表示装置１０Ｂがあっても、複数の表示装置に対して設定値を容易に設定することができる。
【００５７】
また、制御部１８は、マスタ表示装置１０Ａとして動作する場合、コマンド信号を他の表示装置に再度送信した回数が、予め定められた回数以上なら、他の表示装置にコマンド信号を、無線通信部１３により再度送信させない。これにより、表示システム１においては、コマンド信号を再度する処理が終了できなくなることを抑制し、複数の表示装置に対して設定値を容易に設定することができる。
また、制御部１８は、マスタフラグ１７１を参照することにより、自装置を第１のスレーブ表示装置１０Ｂとして動作させているか否かを判定する。これにより、表示システム１においては、複数のマスタ表示装置１０Ａが設定されることを抑制し、複数の表示装置に対して設定値を容易に設定することができる。
【００５８】
また、制御部１８は、第２の個数と第１の個数とが異なる場合、第１のＡｃｋ信号を受信しており、第２のＡｃｋ信号を受信していない第１のスレーブ表示装置１０Ｂの識別番号を、映像表示部１６に表示させる。これにより、表示システム１においては、コマンド信号に示す内容を実行していない第１のスレーブ表示装置１０Ｂを、ＯＳＤ操作ボタン等の操作子を操作するユーザに知らせることができ、複数の表示装置に対して設定値を容易に設定することができる。
【００５９】
また、制御部１８は、自装置がすでに第１のスレーブ表示装置１０Ｂとして動作している場合などにおいて、自装置がマスタ表示装置１０Ａとして動作しないと判定する場合、ＯＳＤ操作画面等に他の表示装置１０がマスタ表示装置１０Ａである旨を表示させる。これにより、表示システム１においては、複数のマスタ表示装置１０Ａが設定されることを抑制し、複数の表示装置に対して設定値を容易に設定することができる。
【００６０】
また、制御部１８は、第１のスレーブ表示装置１０Ｂにおいて設定値の設定が行われたら、マスタ表示装置１０Ａとして動作していた自装置を第２のスレーブ表示装置１０Ｃとして動作させると判定する。そして、制御部１８は、第１のスレーブ表示装置１０Ｂに対してスレーブ解除信号を送信し、表示システム１の全ての表示装置１０を第２のスレーブ表示装置１０Ｃとして動作させる。これにより、表示システム１においては、任意の表示装置１０をマスタ表示装置１０Ａとして選択することができ、複数の表示装置に対して設定値を容易に設定することができる。
また、制御部１８は、自装置が第１のスレーブ表示装置１０Ｂとして動作する場合、受信したコマンド信号に示される内容を実行して自装置の識別情報を含む第２のＡｃｋ信号をマスタ表示装置１０Ａに送信する。これにより、表示システム１においては、コマンド信号に示される内容が実行されたか否かを判定でき、複数の表示装置に対して設定値を容易に設定することができる。
また、制御部１８は、自装置が第２のスレーブ表示装置１０Ｃとして動作する場合、自装置の識別番号を含む第３のＡｃｋ信号を送信した後、定期的に自装置に関する情報を送信する。これにより、表示システム１においては、第１のスレーブ表示装置１０Ｂが第２のスレーブ表示装置１０Ｃに切り替わったか否かを判定でき、複数の表示装置に対して設定値を容易に設定することができる。
【００６１】
（第２の実施形態）
次に、第２の実施形態について説明する。
図８は、第２の実施形態について説明する図である。図８に示すように、本実施形態における表示システム２は、複数の表示装置２０のうちいずれか１の表示装置２０をマスタ表示装置２０Ａとし、複数の表示装置２０のうちマスタ表示装置２０Ａと異なる表示装置を第１のスレーブ表示装置２０Ｂとする表示システム２である。また、複数の表示装置２０のうちの全ての表示装置２０を第２のスレーブ表示装置２０Ｃとする表示システム２としても機能する。
【００６２】
表示装置２０は、通信部２１と、受信部２２と、制御部２３と、を備える。
通信部２１は、他の表示装置２０と通信する。受信部２２は外部からの操作信号を受信する。制御部２３は、通信部２１と受信部２２とを制御する。
制御部２３は、受信部２２により受信された外部からの操作信号に基づいて、自装置がマスタ表示装置２０Ａとして動作するか否か判定する。
マスタ表示装置２０Ａの通信部２１は、第１のスレーブ表示装置２０Ｂにコマンド信号を送信する。第１のスレーブ表示装置２０Ｂの通信部２１は、コマンド信号に対する応答信号としてＡｃｋ信号をマスタ表示装置２０Ａに送信する。
マスタ表示装置２０Ａの制御部２３は、通信部２１を介して受信したコマンド信号に対するＡｃｋ信号の個数に基づき、そのコマンド信号を第１のスレーブ表示装置２０Ｂに、再度、送信するか否か判定する。
【００６３】
以上説明した第２の実施形態によれば、マスタ表示装置２０Ａの制御部２３は、通信部２１を介して受信したコマンド信号に対するＡｃｋ信号の個数に基づき、そのコマンド信号を第１のスレーブ表示装置２０Ｂに、再度、送信するか否か判定する。これにより、表示システム１は、複数の表示装置に対して設定値を容易に設定することができる。
【００６４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６５】
１…表示システム、１０、１０Ａ〜１０Ｃ…表示装置、１１…ＲＦタグ、１２…アンテナ部、１３…無線通信部、１４…受信部、１５…画像処理部、１６…映像表示部、１７…記憶部、１７０…設定テーブル、１７１…マスタフラグ、１７２…マスタ管理テーブル、２…表示システム、２０、２０Ａ〜２０Ｃ…表示装置、２１…通信部、２２…受信部、２３…制御部。
【図１】
2018097193.tif 000003
【図２】
2018097193.tif 000004
【図３】
2018097193.tif 000005
【図４】
2018097193.tif 000006
【図５】
2018097193.tif 000007
【図６】
2018097193.tif 000008
【図７】
2018097193.tif 000009
【図８】
2018097193.tif 000010